(57)【特許請求の範囲】
【請求項１】
情報を表示するディスプレイ(10)を具えた第１キャビネット(１)と、操作釦(20)を具えた第２キャビネット(２)をヒンジ部(４)にて折畳み可能に接続し、一方のキャビネットには両キャビネット(１)(２)の開き位置にて、他方のキャビネットに接するストッパ(５)が設けられた携帯端末機器に於いて、
ヒンジ部(４)には突起(15)が設けられ、両キャビネット(１)(２)が開き位置にあり、且つディスプレイ(10)又は操作釦(20)が載置面(６)に対向し、更に両キャビネット(１)(２)を開く向きに荷重が加わった状態にて、突起(15)の先端部及び両キャビネットが載置面(６)に接することを特徴とする携帯端末機器。
【請求項２】
突起(15)の回動移行路上には、両キャビネット(１)(２)の開閉状態を検出するスイッチ(ＳＷ)が設けられた請求項１に記載の携帯端末機器。
【発明の詳細な説明】
【０００１】
【発明の属する技術分野】
本発明は、一対のキャビネットをヒンジ部にて接続し、折畳み可能に設けた携帯端末機器、特に携帯電話機に関する。
【０００２】
【従来の技術】
図５は、従来の携帯電話機の斜視図である。携帯電話機は、情報を表示するディスプレイ(10)を具えた第１キャビネット(１)と、操作釦(20)を具えた第２キャビネット(２)をヒンジ部(４)にて折畳み可能に接続しており、第２キャビネット(２)からは第１キャビネット(１)に向けてストッパ(５)が突出している。第１キャビネット(１)がストッパ(５)に接するまで、両キャビネット(１)(２)が回動した開き位置にて、両キャビネット(１)(２)は更に開くことを規制される。携帯電話機は開き位置にて通話可能となり、閉じ位置にて携帯される。
【０００３】
【発明が解決しようとする課題】
図６に示すように、ストッパ(５)が第１キャビネット(１)に接した開き位置まで、両キャビネット(１)(２)を回動させる。この状態にて、ディスプレイ(10)又は操作釦(20)を下向きにして、机面又は床面である載置面(６)に不用意に置くことがある。この場合、携帯電話機の上から力が加わる、具体的には携帯電話機を手で押し又は足で踏むと、第１キャビネット(１)がストッパ(５)に接した状態から更に開く向きに撓む。この結果、キャビネット(１)(２)、ストッパ(５)又は後記の理由からヒンジ部(４)が破損する虞れがある。出願人は、このような場合に於いても、キャビネット(１)(２)、ストッパ(５)又はヒンジ部(４)を破損させない構成を設けることを着想した。
本発明の目的は、開き位置にある両キャビネットを、ディスプレイ又は操作釦を載置面に対向させて置いても、キャビネット、ストッパ又はヒンジ部を破損させないことにある。
【０００４】
【課題を解決する為の手段】
情報を表示するディスプレイ(10)を具えた第１キャビネット(１)と、操作釦(20)を具えた第２キャビネット(２)をヒンジ部(４)にて折畳み可能に接続し、一方のキャビネットには両キャビネット(１)(２)の開き位置にて、他方のキャビネットに接するストッパ(５)が設けられた携帯端末機器に於いて、
ヒンジ部(４)には突起(15)が設けられ、両キャビネット(１)(２)が開き位置にあり、且つディスプレイ(10)又は操作釦(20)が載置面(６)に対向し、更に両キャビネット(１)(２)を開く向きに荷重が加わった状態にて、突起(15)の先端部が載置面(６)に接する。
【０００５】
【作用及び効果】
開き位置にある両キャビネット(１)(２)を、ディスプレイ(10)又は操作釦(20)を下向きにして載置面に置くと、突起(15)の先端部が載置面に接近している。
この状態で仮に、両キャビネット(１)(２)の上から力が加わり、両キャビネット(１)(２)が開き位置から更に開く向きに撓まんとしても、突起(15)の先端が載置面に接する。これにより、両キャビネット(１)(２)が開き位置から更に開くことは規制され、キャビネット(１)(２)、ストッパ(５)又はヒンジ部(４)が破損することを防止できる。
【０００６】
【発明の実施の形態】
以下、本発明の一例を図を用いて詳述する。
図１は、携帯電話機の分解斜視図である。従来と同様に、携帯電話機は、通話状態等を表示するディスプレイ(10)を具えた第１キャビネット(１)と、操作釦(20)を具えた第２キャビネット(２)とをヒンジ部(４)で接続し、開き位置と閉じ位置との間を回動する。第２キャビネット(２)からは、開き位置にある第１キャビネット(１)の背面に接するストッパ(５)が突出している。尚、ストッパ(５)は第１キャビネット(１)に設けられていてもよい。
【０００７】
第２キャビネット(２)の端部には、凹部(21)(21)及び該凹部(21)(21)の両側に位置する突片(22)(22)が形成されている。両キャビネット(１)(２)のヒンジ部(４)は、第１キャビネット(１)の端部に設けられた突部(11)(11)を、第２キャビネット(２)の凹部(21)に嵌め、突片(22)(22)の外側から枢軸(40)を突片(22)及び突部(11)に挿入して、枢軸(40)の先端部に止めリング(図示せず)を嵌めて形成される。突部(11)からは突起(15)が上向きに設けられている。枢軸(40)は突片(22)(22)の両側方から１本ずつ計２本挿入されるが、一方の突片(22)から１本だけ挿入されてもよい。
第２キャビネット(２)上にて、ヒンジ部(４)の近傍には収納穴(25)が開設され、該収納穴(25)は突起(15)の回動移行路上に位置する。両キャビネット(１)(２)が閉じ位置にあるときは、突起(15)は収納穴(25)内に嵌まる。後記するように、収納穴(25)内には、両キャビネット(１)(２)の開閉状態を検出するスイッチ(ＳＷ)が設けられている。
【０００８】
図２は、開き位置にある携帯電話機の側面図であり、両キャビネット(１)(２)を開き、ディスプレイ(10)又は操作釦(20)を下に向けて、机面又は床面である載置面(６)に対向させて置いている。この状態で、突起(15)は載置面(６)に接近している。
開位置にある両キャビネット(１)(２)を更に開くような荷重が、第１キャビネット(１)に不用意に加わる、具体的には不注意により、両キャビネット(１)(２)を手で押さえる、又は足で踏むことがある。第１キャビネット(１)は開位置から開く向きに撓まんとする、即ち開き角度が図２のθよりも大きくなろうとする。ここでθは１８０度以下の鈍角である。然るに、両キャビネット(１)(２)が開くことにより、突起(15)が下がり、突起(15)の先端部が載置面(６)に接する。突起(15)が載置面(６)に接するから、両キャビネット(１)(２)は開くことが規制される。
これにより、両キャビネット(１)(２)が開き位置から更に開くことは規制され、キャビネット(１)(２)、ストッパ(５)又はヒンジ部(４)が破損することを防止できる。両キャビネット(１)(２)が破損することを防止できるから、両キャビネット(１)(２)を薄くすることも可能であり、携帯電話機の小型化、軽量化を図ることができる。
【０００９】
開位置にある両キャビネット(１)(２)を更に開くような荷重が不用意に加わったときに、突起(15)を設けていないと、ヒンジ部(４)が破損する理由を以下に示す。
図３は、開き位置にある両キャビネット(１)(２)の側面図、図４は、図３の平面図である。図３に示すように、第１キャビネット(１)はストッパ(５)に接した位置から更に開く向きに撓むと、第１キャビネット(１)にはストッパ(５)を支点として時計方向に回転する向きの力が加わる。この結果、図４に示すように、突部(11)が外向きに引っ張られる。突部(11)に嵌まった枢軸(40)が引っ張られ、第２キャビネット(２)の突片(22)(22)は図４に一点鎖線で示すように側方に撓む。この結果、ヒンジ部(４)が破損し、両キャビネット(１)(２)が正確に回動しなくなる虞れがある。本例にあっては、突起(15)を設けて、両キャビネット(１)(２)が開き位置から更に開くことを規制しているから、ヒンジ部(４)が破損する虞れはない。
【００１０】
図３に示す如く、収納穴(25)内にはスイッチ(ＳＷ)が設けられ、該スイッチ(ＳＷ)は第１キャビネット(１)が閉じ位置にあるときに、突起(15)に押し込まれてＯＮになる。第１キャビネット(１)が閉じ位置から開くと、突起(15)がスイッチ(ＳＷ)から離れてスイッチ(ＳＷ)はＯＦＦになる。スイッチ(ＳＷ)は、両キャビネット(１)(２)の少なくとも一方に設けられた回路基板(図示せず)に繋がり、該スイッチ(ＳＷ)がキャビネット(１)(２)の開閉状態を検出することにより、通話信号受信時である両キャビネット(１)(２)の開き位置にて、自動的に通話可能状態となる。閉位置に戻すと、自動的に通話が遮断される終話状態となる。即ち、スイッチ(ＳＷ)を設けていることにより、通話状態と終話状態とが自動的に切り替わり、便利である。
本例にあっては、突起(15)を第１キャビネット(１)に設けているが、第２キャビネット(２)に設けてもよい。突起(15)は複数本でもよい。また、スイッチ(ＳＷ)が挿入された収納穴(25)を第１キャビネット(１)に開設してもよい。
【００１１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】携帯電話機の分解斜視図である。
【図２】開き位置にある携帯電話機の側面図である。
【図３】開き位置にある両キャビネットの側面図である。
【図４】図３の平面図である。
【図５】従来の携帯電話機の斜視図である。
【図６】開き位置にある両キャビネットを上下逆にして載置面に置いた状態の側面図である。
【符号の説明】
(１)  第１キャビネット
(２)  第２キャビネット
(４)  ヒンジ部
(５)  ストッパ
(６)  載置面
(10)  ディスプレイ
(15)  突起
(20)  操作釦
【図１】
0003773780.tif 000002
【図２】
0003773780.tif 000003
【図３】
0003773780.tif 000004
【図４】
0003773780.tif 000005
【図５】
0003773780.tif 000006
【図６】
0003773780.tif 000007